(57)【要約】【課題】必要最小限の交信頻度で、携行する物品の置き忘れや盗難を防止することのできる携帯無線端末および携帯無線システムを提供することを課題とする。【解決手段】携帯無線送受信機１は、ユーザーの指定時間において、無線タグ３ａ，３ｂ，３ｃにアクセスし、無線タグ３ａ，３ｂ，３ｃのいずれかがＩＤコードを返信しないとき、ブザー１７ａ、発光ダイオード１４を駆動して、物品２ａ，２ｂ，２ｃのいずれかが至近距離内に存在しないことをユーザーに知らせる。【選択図】図１
2007328527.tif 000002
【特許請求の範囲】
【請求項１】
無線タグに設定された情報を読取る無線通信手段と、
時間情報を設定する設定手段と、
報知手段と、
前記設定手段により設定された時間情報をもとに前記無線通信手段を動作させ、該動作で前記無線通信手段が前記無線タグに設定された情報を読取れないとき前記報知手段を作動させる制御手段と
を具備したことを特徴とする携帯無線端末。
【請求項２】
携行状態を検知する検知手段と、
無線タグに設定された情報を読取る無線通信手段と、
報知手段と、
前記検知手段の検知信号をもとに前記無線通信手段を動作させ、該動作で前記無線通信手段が前記無線タグに設定された情報を読取れないとき前記報知手段を作動させる制御手段と
を具備したことを特徴とする携帯無線端末。
【請求項３】
スケジュール管理手段および無線送受信手段を備えた携帯無線送受信機と、該携帯無線送受信機を使用するユーザが所持する物品に取り付けられた無線タグとからなる無線システムであって、前記携帯無線送受信機に、前記スケジュール管理手段が管理するスケジュールの日時をもとに前記無線タグにアクセスし、該無線タグからの応答有無によって前記物品の置き忘れを判定する処理手段を具備したことを特徴とする携帯無線システム。
【請求項４】
前記処理手段は、前記アクセスを複数回繰り返し実行するアクセス手段を具備したことを特徴とする請求項３記載の携帯無線システム。
【請求項５】
前記携帯無線送受信機は、音、光の少なくともいずれかによる報知手段と、表示手段とをさらに具備し、前記処理手段は、前記アクセス時に前記無線タグから応答がないとき前記報知手段、表示手段の少なくともいずれかを起動して前記物品の置き忘れをユーザーに知らせる報知処理手段を具備する請求項３または４記載の携帯無線システム。
【請求項６】
前記携帯無線送受信機は、サーチスイッチをさらに具備し、前記処理手段は、前記サーチスイッチの操作に応じて前記無線タグにアクセスし、該アクセスで前記無線タグから応答があったとき前記報知手段、表示手段の少なくともいずれかを起動して前記応答内容をユーザーに知らせるサーチ処理手段を具備する請求項５記載の携帯無線システム。
【発明の詳細な説明】
【技術分野】
【０００１】
本発明は、携行品や所持品等、携行する物品の置き忘れや遺失を未然に防止するための技術に関し、特に、至近距離の通信を行う特定小電力無線通信機能を備えた携帯無線端末および携帯無線システムに関する。
【背景技術】
【０００２】
携行品や所持品等、携行する物品の置き忘れや遺失を未然に防止するための技術として、置き忘れの監視対象となる携行する物品に極小形状の無線送受信機を取り付け、この無線送受信機と、上記物品を所持するユーザーが携行する無線端末機器との間で交信することによって、上記物品の置き忘れや遺失を未然に防止する装置が提案されている。携行する物品に取り付ける無線送受信機としては、シール状チップ発信装置、Ｂｌｕｅｔｏｏｔｈ（登録商標）、無線タグ（ＩＣタグ）等が提案されている。
【特許文献１】特開２００２−１９００７６
【特許文献２】特開２００２−１８３８６６
【特許文献３】特開２００５−１８２７２６
【特許文献４】特開２００６−００４２５７
【発明の開示】
【発明が解決しようとする課題】
【０００３】
携行対象となる物品（携行品や所持品）を実際に携行しているか、または上記物品が身の回りにあるか否かを無線交信によって確認するのは極めて自然な方法であり、最近の無線タグ（ＲＦＩＤ；Radio Frequency Information Data tag）の進展により、その具現性も高まっている。
【０００４】
例えばＲＦＩＤでは、直径０．７ｍ、１，５ｍ、若しくは５ｍを交信エリアとし、１３５ＫＨｚ、１３，５６ＭＨｚ、４３３ＭＨｚ、８６０〜９３０ＭＨｚ、若しくは２，４５ＧＨｚを交信周波数として、無線タグと無線端末機器との間で交信を行う。この交信の都度、無線端末機器では、無線タグのアクセスに必要な送信電力による送信動作が伴う。
【０００５】
この無線交信による置き忘れと盗難防止装置を具現化するに際しての課題は、何時交信するのか、又、その交信頻度をどのような基準に従って決めるかである。上記した各提案技術では、いずれも定期的に交信を行っているが、定期的に行う頻度を多くすれば、携帯無線端末の電池が短時間のうちに消耗してしまう。一方、交信の時間間隔を長くすれば、短時間での電池の消耗は避けられるが、何時、何処で盗難、紛失があったか分からなくなってしまう。とくにタグと交信する無線端末機器を、特定の機能をもつ、例えば携帯電話機、ＰＤＡ（Personal Digital Assistant）、電子辞書等の携行が容易な機器で実現した場合、タグとの交信に費やされる電池の消耗が機器本来の機能（電話機能、情報処理機能、検索機能等）に影響を及ぼし、機器本来の機能が損なわれるという問題が派生する。
【０００６】
本発明は上記課題を解決すべくなされたものであり、必要最小限の交信頻度で、携行する物品の置き忘れや盗難を防止することのできる携帯無線端末および携帯無線システムを提供することを目的とする。
【課題を解決するための手段】
【０００７】
携行する物品について、置き忘れをしないように留意するときは、例えば出勤や退社、乗り物の乗降時であり、また、盗難や置き引きにあうのは主として外出時である。このように置き忘れや盗難は、人がある場所から別の場所に移動する場合、即ち、人が何らかの行動を起こす際に発生する。大多数の人は、その行動があらかじめスケジュールされている。
【０００８】
そこで、本発明の請求項１は、携帯無線端末において、無線タグに設定された情報を読取る無線通信手段と、時間情報を設定する設定手段と、報知手段と、前記設定手段により設定された時間情報をもとに前記無線通信手段を動作させ、該動作で前記無線通信手段が前記無線タグに設定された情報を読取れないとき前記報知手段を作動させる制御手段とを具備したことを特徴とする。
【０００９】
このような制御機能をもつことで、物品の置き忘れや遺失等を必要最小限の電力消費で効率よく未然に防止することのできる機能を実現できるとともに、機器が、例えば電話機能、情報処理機能等、他の機能を本来の機能とするとき、機器本来の機能を損なうことなく所期の置き忘れや遺失等の防止機能をもたせることができる。
【００１０】
また、本発明の請求項２は、携帯無線端末において、携行状態を検知する検知手段と、無線タグに設定された情報を読取る無線通信手段と、報知手段と、前記検知手段の検知信号をもとに前記無線通信手段を動作させ、該動作で前記無線通信手段が前記無線タグに設定された情報を読取れないとき前記報知手段を作動させる制御手段とを具備したことを特徴とする。
【００１１】
このような制御機能をもつことで、ユーザに操作負担をかけることなく、物品の置き忘れや遺失等を必要最小限の電力消費で効率よく未然に防止することのできる機能を実現できるとともに、機器が、例えば電話機能、情報処理機能等、他の機能を本来の機能とするとき、機器本来の機能を損なうことなく、また、ユーザに操作負担をかけることなく、所期の置き忘れや遺失等の防止機能をもたせることができる。
【００１２】
また、本発明の請求項３は、スケジュール管理手段および無線送受信手段を備えた携帯無線送受信機と、該携帯無線送受信機を使用するユーザが所持する物品に取り付けられた無線タグとからなる無線システムであって、前記携帯無線送受信機に、前記スケジュール管理手段が管理するスケジュールの日時をもとに前記無線タグにアクセスし、該無線タグからの応答有無によって前記物品の置き忘れを判定する処理手段を具備したことを特徴とする。
【００１３】
このような携帯無線システムを適用することにより、例えば電子手帳やＰＤＡのようなスケジュール書き込み、記憶機能を備えた携帯無線送受信機において、スケジュールを書き込んでおき、指定されたスケジュールの時刻になると、自動的に携行する物品に取り付けられた無線タグにアクセスすることから、夜間就寝中、室内保管中等、置き忘れや遺失の監視を必要としない時間帯に於ける無駄な交信を排除できる。これにより機器の動作用電池エネルギーを有効に利用した効率の良い置き忘れや遺失等の防止機能を実現できる。
【００１４】
また本発明の請求項４は、前記携帯無線システムにおいて、前記処理手段は、前記アクセスを複数回繰り返し実行するアクセス手段を具備したことを特徴とする。
【００１５】
このようなアクセス手段を具備することで、スケジュールに従って人が行動を起こした後、決められた時間内に、再度、携行する物品に取り付けられた無線タグにアクセスすることから、少なくとも行動を起こす直前と、起こした直後の前後２回の無線タグからの応答の有無によって、監視対象物品を携行しているか否かを判断することができる。例えば外出直前のアクセスに対しては、無線タグからの応答があったのに、外出直後のアクセスに対して応答がなかった場合には、あきらかに携帯すべき物品を家、会社等に置き忘れたものと認識することができる。
【００１６】
また本発明の請求項５は、前記請求項３または４の携帯無線システムにおいて、前記携帯無線送受信機は、音、光の少なくともいずれかによる報知手段と、表示手段とをさらに具備し、前記処理手段は、前記アクセス時に前記無線タグから応答がないとき前記報知手段、表示手段の少なくともいずれかを起動して前記物品の置き忘れをユーザーに知らせる報知処理手段を具備することを特徴とする。
【００１７】
このような報知処理手段を具備することで、前記携帯無線送受信機からのアクセスに対し無線タグからの応答がない場合、該無線タグを取り付けた物品がユーザーの身近にないことを、ユーザーに、音、光、若しくは表示手段によって知らせることができる。
【００１８】
また本発明の請求項６は、前記請求項５の携帯無線システムにおいて、前記携帯無線送受信機は、サーチスイッチをさらに具備し、前記処理手段は、前記サーチスイッチの操作に応じて前記無線タグにアクセスし、該アクセスで前記無線タグから応答があったとき前記報知手段、表示手段の少なくともいずれかを起動して前記応答内容をユーザーに知らせるサーチ処理手段を具備することを特徴とする。
【００１９】
このようなサーチ処理による所持品の探索機能を具備することにより、前記携帯無線送受信機からのアクセスに対し、無線タグからの応答があれば、該無線タグを取り付けた物品がユーザーの身近にあることをユーザーが音、光、若しくは表示手段によって知ることができる。
【発明の効果】
【００２０】
本発明によれば、携行品や所持品の盗難や置き引きを含めた携行する物品の置き忘れや遺失等を防止する機能を実現する際に極めて有効であり、とくに置き忘れ、紛失等の可能性の高い場合にのみ無線交信を行うので、機器側の動作用電池エネルギーを有効に使用した必要最小限の交信頻度で、携行する物品の置き忘れや盗難を防止することができる。
【発明を実施するための最良の形態】
【００２１】
以下図面を参照して本発明の実施形態を説明する。  
図１は本発明の実施形態に係る置き忘れ防止用無線システムの構成を示す図であり、図中、１はユーザーが携帯する携帯無線送受信機、３ａ，３ｂ，３ｃはユーザーが携行する物品２ａ，２ｂ，２ｃに取り付けられた無線タグである。ユーザーが携帯する携帯無線送受信機１は、例えば無線電話機能、ＰＤＡ機能を有する携帯端末により実現可能である。携帯無線送受信機１は、送受信アンテナ１４ａ、操作部１５、表示部１６、報知部等を有している。さらにスケジュールの書き込みおよび記憶機能をもつスケジュール管理手段を有している。送受信アンテナ１４ａは物品２ａ，２ｂ，２ｃに取り付けられた無線タグ３ａ，３ｂ，３ｃと交信を行う。操作部１５には押しボタン型のサーチスイッチ（サーチキー）１５ａを含む各種の操作入力キーが設けられている。報知部は、ブザー１７ａ、発光ダイオード１７ｂ等を有している。
【００２２】
無線タグ３ａ，３ｂ，３ｃは、例えば定期入れ、財布、腕時計等のユーザーが携行する物品２ａ，２ｂ，２ｃに取り付けられる。この無線タグ３ａ，３ｂ，３ｃには、それぞれ個別に固有の識別（ＩＤ）コードがあらかじめ書き込まれて（設定されて）おり、携帯無線送受信機１からのアクセスに対し、それぞれ設定されたＩＤコードを返信する。
【００２３】
携帯無線送受信機１は、認可を必要としない特定小電力無線送受信機であり、上記したようにスケジュールの書き込みおよび記憶機能をもつスケジュール管理手段を具備する。
【００２４】
このスケジュール管理手段に書き込まれたスケジュール表の一例を図２に示している。  
図２に示すスケジュール表において、チェック欄の「＊」（アスタリスク）は、物品２ａ，２ｂ，２ｃに取り付けられた無線タグ３ａ，３ｂ，３ｃへのアクセスを指定するものであり、「＊＊」（２つのアスタリスク）は指定されたスケジュールの時刻に一度アクセスし、さらに、その後、決められた時間内に再度アクセスすることを指定するものである。
【００２５】
従って、例えば図２に示すスケジュール表１の場合は、退社時刻「１７時３０分」になると、携帯無線送受信機１は、予め定められた所定の順序で順次、無線タグ３ａ，３ｂ，３ｃにアクセスする。このアクセスに対し、無線タグ３ａ，３ｂ，３ｃは、送受信可能な至近距離内にあれば、予め設定されたＩＤコードを携帯無線送受信機１に返信する。
【００２６】
この各無線タグ３ａ，３ｂ，３ｃとの交信により、無線タグ３ａ，３ｂ，３ｃのいずれかがＩＤコードを返信しないとき（アクセスに対してＩＤコードのいずれかが受信されないとき）、携帯無線送受信機１は、ブザー１７ａ、発光ダイオード１４を駆動して、物品２ａ，２ｂ，２ｃのいずれかが至近距離内に存在しないことをユーザーに知らせる。さらに表示部１６を駆動して該表示部１６に、返信しないＩＤコードをもつ無線タグ（例えば３ａ）を取り付けた物品（例えば２ａ）が至近距離内に存在しないことをユーザーに知らせる。その後、予め定められた時間内、例えば５分後の「１７時３５分」に、上記同様の交信（アクセス）及び交信に伴う処理を繰り返し実行する。
【００２７】
ここで、例えば「１７時３０分」のアクセス時に、物品２ａ，２ｂ，２ｃに取り付けられた無線タグ３ａ，３ｂ，３ｃのすべてからＩＤコードの返信があったのに、「１７時３５分」のアクセス時に物品２ａに取り付けられた無線タグ３ａからの返信がなかった場合、退社時に物品（例えば定期入れ）２ａを会社内の机上、ロッカー等に置き忘れたことになる。
【００２８】
携帯無線送受信機１には、さらに機能選択スイッチの一つとして、サーチスイッチ（サーチキー）１５ａが設けられている。サーチスイッチ１５ａが押下操作されると、携帯無線送受信機１は、物品２ａ，２ｂ，２ｃに取り付けられた無線タグ３ａ，３ｂ，３ｃに順次アクセスし、このアクセスでＩＤコードの返信があったとき、その旨をブザー１７ａ、発光ダイオード１７ｂ、あるいは表示部１６によりユーザーに知らせる。このサーチ機能は、携行対象物品をチェック（探索）する際に有効な機能となる。
【００２９】
上記した置き忘れ防止用無線システムに適用される携帯無線送受信機１を実現する携帯端末の一構成例を図３に示している。なお、ここでは、携帯端末に設けられる端末本来の機能（電話機能、情報処理機能等）、および該端末に設けられる動作用電源およびその構成については、それぞれ説明を省略する。
【００３０】
携帯無線送受信機１を実現する携帯端末は、制御部１１、記憶部１２、ＲＴＣ（RealTime Clock）１３、通信処理部１４、操作部１５、表示部１６、報知部１７、検知部１８等を有して構成される。
【００３１】
制御部１１は、携帯端末全体の制御を司るもので、ここでは、携行品や所持品等、携行する物品の置き忘れや遺失を未然に防止するための処理ルーチン（以下物品チェックルーチンと称す）を実行する。
【００３２】
記憶部１２には、上記制御部１１が実行する物品チェックルーチン（ＭＣ−ＲＴ）１２ａが格納されている。この物品チェックルーチン（ＭＣ−ＲＴ）１２ａは、端末機器に予めインストールされているプログラムに含まれるものであっても、または必要に応じてネット配信等によりダウンロードされるものであってもよい。例えば携帯電話のインターネット接続機能を用いて特定のサイトからダウンロードしてもよい。この制御部１１により実行される物品チェックルーチン（ＭＣ−ＲＴ）１２ａの処理手順を図４に示している。
【００３３】
ＲＴＣ１３は、上記制御部１１の制御の下に、携帯端末に於ける各種の時間管理機能を実現するもので、ここではユーザーが上記操作部１５および表示部１６を用いて設定したスケジュール表（図２参照）を、ユーザーが解除設定を行うまで、待ち受け状態を含んで不揮発性メモリ領域に保持し、時間監視する計時機能をもつ。
【００３４】
通信処理部１４は、例えば外部の基地局を介して他の電話機と交信する無線電話機能をもつとともに、上記スケジュール表が設定されたとき、上記制御部１１が実行する物品チェックルーチン（ＭＣ−ＲＴ）１２ａ内で、物品２ａ，２ｂ，２ｃに設けられた無線タグ３ａ，３ｂ，３ｃに順次アクセスする無線通信機能をもつ。なお、図３では図１に示す無線タグ３ｃを取り付けた物品２ｃを省略して示している。
【００３５】
操作部１５は、ユーザーにより操作される、例えばメール文の入力等に供される複数のキーを有し、さらにここでは機能選択スイッチの一つとしてサーチスイッチ（サーチキー）１５ａを含み、これら各操作キーの入力コマンドを制御部１１に送出する機能をもつ。
【００３６】
表示部１６は、上記制御部１１の制御の下に、各種の情報をユーザーに提示する文字および画像の表示機能をもつもので、ここでは物品チェックルーチン（ＭＣ−ＲＴ）１２ａの処理による処理結果の各情報をユーザーに提供する。例えば無線タグ３ａ，３ｂ，３ｃのアクセスに対して返信しないＩＤコードをもつ無線タグを取り付けた物品の一部またはすべてが至近距離内に存在しないことをユーザーに知らせる。またはサーチキー１５ａが押下操作されたとき、無線タグ３ａ，３ｂ，３ｃのアクセスに対する応答内容をユーザーに知らせる。
【００３７】
報知部１７は、上記制御部１１の制御の下に、ブザー１７ａ、発光ダイオード１７ｂ等を駆動制御して、機器の各種機能に於ける状態（例えば着信状態、キー入力状態、設定時刻等）をユーザーに報知するもので、ここでは無線タグ３ａ，３ｂ，３ｃのアクセスに対して返信しないＩＤコードをもつ無線タグを取り付けた物品の一部またはすべてが至近距離内に存在しないことをユーザーに知らせる。またはサーチキー１５ａが押下操作されたとき、無線タグ３ａ，３ｂ，３ｃのアクセスに対する応答結果をユーザーに知らせる。
【００３８】
検知部１８は、携帯無線送受信機１を実現する携帯端末が現在携行中であるか否かを検知するもので、例えば加速度センサー、振動センサー、揺動センサー、傾きセンサー等、所定の検知手段を具備して構成される。検知部１８は、携帯端末が現在携行中であることを検知すると、例えば制御部１１に対し、所定の時間間隔で割込みを発行する。
【００３９】
ここで、携帯無線送受信機１を実現する携帯端末に於ける、携行品や所持品等、携行する物品の置き忘れや遺失を未然に防止するための処理について、図４に示すフローチャートを参照して説明する。
【００４０】
携帯無線送受信機１を実現する携帯端末において、制御部１１は、ＲＴＣ１３の不揮発性メモリ領域に保持されたスケジュール表（図２参照）に、携行品や所持品等、携行する物品の置き忘れや遺失を未然に防止するための処理時間（スケジュール表のアスタリスク参照）が設定されているとき、ＲＴＣ１３の時間監視にもとづいて、記憶部１２に格納された物品チェックルーチン（ＭＣ−ＲＴ）１２ａの処理を実行する。
【００４１】
ＲＴＣ１３は、スケジュール表に、携行品や所持品の置き忘れや遺失を未然に防止するための処理時間が設定されているとき、待ち受け状態を含めて当該設定時間の時間監視を行い、当該設定時間になったとき、その旨を制御部１１に通知する。
【００４２】
制御部１１は、ＲＴＣ１３から上記スケジュール表に従う通知を受けると、図４に示す物品チェックルーチン（ＭＣ−ＲＴ）１２ａの処理を開始し（ステップＳ１）、物品２ａ，２ｂ，２ｃに取り付けられた無線タグ３ａ，３ｂ，３ｃに対して予め定められた順序で順次アクセスし、無線タグ３ａ，３ｂ，３ｃからＩＤコードを受信する（ステップＳ２）。
【００４３】
この各無線タグ毎のアクセスで、交信に成功したとき、即ち、携行する物品２ａ，２ｂ，２ｃに取り付けられた無線タグ３ａ，３ｂ，３ｃのすべてからＩＤコードが返信されたとき（ステップＳ３  Ｙｅｓ）、物品チェックルーチン（ＭＣ−ＲＴ）１２ａの処理を終了する。
【００４４】
なお、ここでは、携行する物品２ａ，２ｂ，２ｃに取り付けられた無線タグ３ａ，３ｂ，３ｃのすべてからＩＤコードが返信されたとき（ステップＳ３  Ｙｅｓ）、そのまま物品チェックルーチン（ＭＣ−ＲＴ）１２ａの処理を終了しているが、例えば、携行する物品２ａ，２ｂ，２ｃに取り付けられた無線タグ３ａ，３ｂ，３ｃのすべてからＩＤコードが返信されたとき、表示部１６、若しくは報知部１７、若しくは表示部１６と報知部１７を駆動して、置き忘れ防止の対象となる物品２ａ，２ｂ，２ｃがすべて至近距離内に存在することをユーザーに知らせることも可能である。
【００４５】
上記無線タグ３ａ，３ｂ，３ｃのアクセスに対して、ある無線タグ（例えば３ａ）からＩＤコードが返信されないとき（ステップＳ３  Ｎｏ）、制御部１１は、表示部１６、若しくは報知部１７、若しくは表示部１６と報知部１７を駆動して、無線タグ３ａを取り付けた物品２ａが至近距離内に存在しないことをユーザーに知らせる。
【００４６】
その後、ＲＴＣ１３は、上記スケジュール表に再度のアクセス指示（＊＊）が設定されているとき、上記設定時間の通知から、一定時間経過後に、再びスケジュールの設定時間になったことを制御部１１に通知する。
【００４７】
制御部１１は、ＲＴＣ１３から上記通知を受けると、図４に示す物品チェックルーチン（ＭＣ−ＲＴ）１２ａの処理を再度実行する。
【００４８】
上記したような携行品や所持品の置き忘れや遺失を未然に防止するための処理機能をもつことにより、とくに置き忘れ、紛失等の可能性の高い場合にのみ無線タグ３ａ，３ｂ，３ｃと交信を行うので、機器側の動作用電池エネルギを有効に使用した必要最小限の交信頻度で、携行する物品の置き忘れや盗難等を防止することができる。
【００４９】
次に、図４に示すフローチャートを参照して本発明の他の実施形態を説明する。上記した実施形態が、ユーザーの設定にもとづく携行品や所持品等、携行する物品の置き忘れや遺失を未然に防止するための処理機能であったのに対して、この他の実施形態では、携帯無線送受信機１を実現する携帯端末が携行中であることを検知して自動的に携行品や所持品の置き忘れや遺失を未然に防止するための処理を実行する。
【００５０】
検知部１８は、携帯無線送受信機１を実現する携帯端末が現在携行中であることを検知すると、制御部１１に対して割込みを発行する。この際、検知部１８は、携帯端末の物理的な加速度、揺れ等をトリガーとして動作を開始し、制御部１１に対して割込みを発行することで、非携行時の無駄な電力消費を回避することが可能である。
【００５１】
制御部１１は検知部１８からの割込みを受け付けると、図４に示す物品チェックルーチン（ＭＣ−ＲＴ）１２ａの処理を開始し（ステップＳ１）、物品２ａ，２ｂ，２ｃに取り付けられた無線タグ３ａ，３ｂ，３ｃに対して予め定められた順序で順次アクセスし、ＩＤコードを受信する（ステップＳ２）。
【００５２】
この各無線タグ毎のアクセスで、交信に成功したとき、即ち、物品２ａ，２ｂ，２ｃに取り付けられた無線タグ３ａ，３ｂ，３ｃのすべてからＩＤコードが返信されたとき（ステップＳ３  Ｙｅｓ）、物品チェックルーチン（ＭＣ−ＲＴ）１２ａの処理を終了する。また、上記無線タグ３ａ，３ｂ，３ｃのアクセスに対して、ある無線タグ（例えば３ａ）からＩＤコードが返信されないとき（ステップＳ３  Ｎｏ）、表示部１６、若しくは報知部１７、若しくは表示部１６と報知部１７を駆動して、無線タグ３ａを取り付けた物品２ａが至近距離内に存在しないことをユーザーに知らせる。
【００５３】
一方、検知部１８は、制御部１１に対して上記割込みを発行した後、所定時間（例えば５〜１０分）が経過すると、再び携帯端末が現在携行中であるか否かを検知し、携行中であることを検知すると、再度、制御部１１に対して割込みを発行する。
【００５４】
制御部１１は検知部１８からの割込みを受け付けると、再び図４に示す物品チェックルーチン（ＭＣ−ＲＴ）１２ａの処理を開始する。
【００５５】
上記したような携行品や所持品の置き忘れや遺失を未然に防止するための処理機能をもつことにより、ユーザーに操作負担をかけることなく、機器側の動作用電池エネルギーを有効に使用した必要最小限の交信頻度で、携行する物品の置き忘れや盗難等を防止することができる。
【００５６】
なお、上記した携帯無線送受信機１、携帯無線送受信機１を実現する携帯端末、携帯無線システムの構成等はそれぞれ上記実施形態のものに限らず、本発明の要旨を逸脱しない範囲で種々の機器構成、システム構成に適用可能である。
【図面の簡単な説明】
【００５７】
【図１】本発明の実施形態に係る置き忘れ防止用無線システムの構成を示す図。
【図２】上記実施形態に係るスケジュール管理手段に書き込まれたスケジュール表の一例を示す図。
【図３】上記実施形態に係る携帯無線送受信機１を実現する携帯端末の構成を示すブロック図。
【図４】上記実施形態に係る物品チェックルーチン（ＭＣ−ＲＴ）の処理手順を示すフローチャート。
【符号の説明】
【００５８】
１…携帯無線送受信機（携帯端末）、２ａ，２ｂ，２ｃ…無線タグ、３ａ，３ｂ，３ｃ…物品、１１…制御部、１２…記憶部、１２ａ…物品チェックルーチン（ＭＣ−ＲＴ）、１３…、ＲＴＣ（RealTime Clock）、１４…通信処理部、１４ａ…送受信アンテナ、１５…操作部、１６…表示部、１７…報知部、１７ａ…ブザー、１７ｂ…発光ダイオード、１８…検知部。
【図１】
2007328527.tif 000003
【図２】
2007328527.tif 000004
【図３】
2007328527.tif 000005
【図４】
2007328527.tif 000006